(57)【要約】ランシング装置で（ランセット３２の）保持を解放自在に使用するためのランセット・ホルダー（３０）は、内部面から突出し等しい間隔で配置された３つの案内リブ／デフレクター（５０）を有する概略円筒状のスリーブ（４４）を含む。ランセット（３２）をランセット・ホルダーに導入する際、案内リブ／デフレクター（５０）は、ランセットを角度的に少しずつ動かして、案内リブ／デフレクター間の間隙中でランセット上のリブ（３６）が摺動自在に受容されることを確保する。【選択図】図３
2010530774.tif 000002
【特許請求の範囲】
【請求項１】
ランセット駆動機構と、使い捨てのランセットを使用時に受容するためのランセット・ホルダーと、を含む筐体を備え、
前記ランセットは、非円形状の軸体を有し、
前記ランセット・ホルダーは、前記ランセットの前記軸体を受容するための細長い間隙を規定する壁領域を有し、
前記ランセット・ホルダーは、該ホルダーで受容したときのランセットの回転に抗するための、少なくとも一の内方突出リブを有し、
前記内方突出リブは、使用される前記ランセットの挿入中に前記細長い間隙と角度調整されるように、前記ランセット軸体の角度を前記ランセットに適応させるように促すための、前方湾曲領域を有するランシング装置。
【請求項２】
前記ランセット・ホルダーは、長さ方向に伸び、解放された細長い介在溝部を複数規定する、２以上の放射状のフランジを含むことを特徴とする請求項１記載のランシング装置。
【請求項３】
前記放射状のフランジは、等角度に間隔を設けられ、前記ランセット・ホルダーの突出リブ又はリブらは、これに対応する間隔を設けられた請求項２記載のランセット装置。
【請求項４】
前記リブは、その前方領域の幅及び半径方向の寸法において先細になり、尖状の湾曲領域を規定する請求項２又は請求項３に記載のランシング装置。
【請求項５】
前記ランセット・ホルダーは、使用中のランセットを解放自在に保持するための弾性的な戻り止め手段を含む、請求項１から請求項４のいずれか１項に記載のランシング装置。
【請求項６】
前記ランセット・ホルダーは、直径方向に正反対の位置で配置された２つの弾性的な戻り止め手段を含む、請求項５に記載のランシング装置。
【請求項７】
前記弾性的な戻り止め手段は、前記ホルダーの前記壁領域に形成された弾性を備えた舌状部からなる請求項５又は請求項６に記載のランシング装置。
【請求項８】
前記ホルダーは、奇数個のリブを備え、前記弾性的な戻り止め手段の内の１つは、前記リブらの内の１つと一直線にされ又は前記リブらの内の１つの一部を形成し、及び前記直径方向に正反対の位置で配置された弾性的な戻り止めは、２つの前記リブ間の間隙に配置される請求項６又は請求項７に記載のランシング装置。
【発明の詳細な説明】
【技術分野】
【０００１】
本発明は、ランシング装置に関し、具体的には、限定的ではないが、皮膚を刺すための使い捨て或いは代替可能なランセットを受容するように設計されるような装置に関する。
【背景技術】
【０００２】
テスト目的（例えば血糖値）のための血液の液滴にねらいを定めるために、ユーザが皮膚を規則的に刺す必要のある応用分野では、ランセット駆動機構と、使い捨てできるランセットを使用時に受容するランセット・ホルダーと、を含む筐体を備えたランシング装置を提供することが一般的である。かかるユーザは、使い捨てできるランセットを装置内に取り付け、その撃発準備をした後に、ランセットに皮膚を刺させるように装置を始動させる。使用の後、当該ランセットは、汚染または伝染を防ぐために処分される。さらに、ランセットがランシング装置に取り付けられる前に安全に扱われること及び無菌に保つことができるように、ランセット針の上に成型された保護用キャップを備えるランセットが知られている。一旦取り付けられると、キャップは、針を露出するためにねじって外されることができる。装置が発射された後、キャップは、廃棄に先立って針をカバーするために、ランセットに再び取り付けることができる。
【０００３】
したがって、キャップがねじって外される場合に、ホルダーの中でランセットが回転することを阻止するための何らかの手段を提供することは重要である。さらに、品質管理と製造物責任の目的のために、ランシング装置は、それらと一緒に使用するために特別に設計された使い捨てのランセットと一緒にのみ使用されなければならない。ランセット及びランセット・ホルダーが小さな寸法になると、専門外の患者あるいはそのような制限された洞察力や低下した器用さにとっては、ランセット・ホルダーと非円形の軸体を備えたランセットとを正確に位置合わせすることは、困難となり得る。同様に、ホルダーが、過度の力を用いるようにユーザを促すことができる場合や、時期尚早にランセット針を露出し、または蓋がされたままで先端を曲げる可能性がある場合、或いは、ランセット・ホルダー内でランセットが余りにも遠い前方にあり誤動作につながる場合に、ランセットがランセット・ホルダー内で引っかからないことを確保することは重要である。
【発明の概要】
【０００４】
従って、一の側面では、本発明は、ランセット駆動機構と、使い捨てのランセットを使用時に受容するためのランセット・ホルダーと、を含む筐体を備え、ランセットは非円形状の軸体を有し、ランセット・ホルダーはランセットの軸体を受容するための細長い間隙を規定する壁領域を有し、ランセット・ホルダーは、該ホルダーで受容したときのランセットの回転に抗するための、少なくとも一の内方突出リブを有し、該内方突出リブは、使用されるランセットの挿入中に前記細長い間隙と角度調整されるように、前記ランセット軸体の角度を前記ランセットに適応させるように促すための、前方湾曲領域を有するランシング装置を提供する。
【０００５】
１つの配置では、前記ランセットは、長さ方向に伸び、解放された細長い介在溝部を複数規定する、２以上の放射状に延びるフランジを含む非円形の軸体を備える。他の配置では、前記ランセットは、例えば米国再発行特許第３５８０３号明細書あるいは米国特許第５３１８５８４号明細書中で示されるタイプの、横断面が長方形の軸体を備えることができる。
【０００６】
好ましくは、前記放射状に延びるフランジは、等角度に間隔を設けられ、前記ランセット・ホルダーの突出リブ又はリブらは、これに対応する間隔を設けられる。
【０００７】
前記リブは、その前方領域の幅及び半径方向の寸法において先細になり、尖状の湾曲領域を規定することができる。
【０００８】
ランセット・ホルダーは、好ましくは、使用中のランセットを解放可能に保持するための弾性的な戻り止め手段、例えば直径方向に正反対の位置に配置された２つの弾性的な戻り止め手段を含む。この弾性的な戻り止め手段は、ホルダーの壁領域に形成された弾性を備えた舌状部を便利なように含む。
【０００９】
好ましくは、ホルダーは、奇数個のリブを備えており、前記弾性的な戻り止め手段の内の１つは、前記リブらの内の１つに提携され又は前記リブらの内の１つの一部を形成し、及び前記直径方向に正反対の位置に配置された弾性的な戻り止めは、２つの前記リブ間の間隙に配置される。
【００１０】
本発明は、上に記述された一方で、上述の或いは下記の説明で提示された機能の任意の創造性のある組合せ又はサブコンビネーションにまで拡張する。
【００１１】
本発明は、様々な方法で行なわれることができ、また、それらの実施形態は、添付された図面を参照した例のみを手段として記述される。
【図面の簡単な説明】
【００１２】
【図１】国際特許出願公開第ＷＯ０１／１３７９４号明細書で開示された先行技術のランシング装置の断面図である。
【図２】搭載されたランセットと共に、本発明の実施の形態のランシング装置のランセット・ホルダーの斜視図である。
【図３】図２と類似した斜視図であるが、ランセット・ホルダーへの挿入に先立つランセットを示す図である。
【図４】図２及び図３のランセット・ホルダーの詳細な断面図である。
【図５】図２乃至図４のランセット及びランセット・ホルダーの異なる角度から示す斜視図である。
【図６】図２乃至図４のランセット及びランセット・ホルダーの異なる角度から示す斜視図である。
【発明を実施するための形態】
【００１３】
最初に図１を参照すると、国際公開ＷＯ０１／１３７９４号明細書に記述された種類のランシング装置が示されている。この装置は、トリガー機構１４によって開放されたハンマー１２が圧縮ばね１６により前方へ放たれ、ランセット・ホルダー１８の後端に衝撃を与えて前方に駆動し、その結果、保持されたランセット２０が、その針先をノーズ部２４における開口部２２から瞬時に突出させることができるようになされた筒状体１０を含む。発射の後、ノーズ部及び付属のカラーが除去されることができ、また、ランセット２０は、排出ロッド２６によってランセット・ホルダー１８の前方に押し出される。新たなランセット２０は、ノーズ部２４の除去の後に挿入されることができ、ランセット・ホルダー１８に押し込まれることができる。この特有の配置では、ハンマーは、国際公開ＷＯ０１／１３７９４号明細書により詳細に提示されているように、筐体のスリーブ２８を引き戻すことによって、ハンマー１２をその撃発準備位置に後退させて、再び撃発準備がなされる。
【００１４】
本発明の図示された実施の形態では、ランセット・ホルダー１８及びランセット２０は、図２乃至図６中で示されるようなランセット・ホルダー３０及びランセット３２と置き換えられる。本発明は、勿論、ランセットがホルダーに挿入される広範囲の異なるランシング装置のうちのどれについても用いられ得るが、その他の点では、ランシング装置は、以前に記述されたように十分に作動する。
【００１５】
ここで図２乃至図６を参照すると、ランセットは、円周方向に等間隔で配置された３つの放射状のフランジ３６を含む細長い軸体３４を備えており、それらの間の溝部を規定している。ランセットは、その先端に関して一体的に成型されたキャップ３８を備え、該キャップは、ねじることで除去できるようになっている。ランセット・ホルダーは、ハンマーの衝撃を支えるために後部外形を旋削された周縁部４０を備え、かかる周縁部４０は、筐体内で回転することを防ぐために平面部４２を備える。周縁部４０の前方には、直径方向に正反対の位置に配置された２つの舌状部４６を備えた、概略円筒状のスリーブ４４がある。舌状部４６は、半径方向の弾性的な動きが可能であり、また、それらの前端上に返し部４８を備える。返し部４８は、ランシング装置の筐体１０の前部で前方に対面する肩部と連携して、ランセット本体の後方への動きを制限する。円筒状のスリーブ４４の内部には、等しい一定間隔で配置された３つの案内リブ／デフレクター５０が備えられる。案内リブ／デフレクター５０は、それぞれ、キーリブ５４の前方に尖形位置合わせ領域５２を備える。ＡＶ５６は、スリーブの前端側でカットされ、図６に見られるような上舌状部を規定するスロットの内の１つと連絡する。
【００１６】
案内リブ／デフレクター５０は、スリーブを一回りするように配置され、それらの内の１つが、弾性歯４６の内の１つ、及び２つの案内リブ／デフレクター５０の中間に位置する他の弾性歯４６と、角度調整されて配列される。２つの案内リブ／デフレクター間に位置する歯４６には、内側に向けられたピップ（ｐｉｐ）５６が備えられる（図４を参照）。
【００１７】
使用時に、ランセット３２が任意の形態でランセット・ホルダーに提供されるときに、リブ３６がホルダー５０の案内リブ／デフレクター５０間の間隙との位置合わせがなされていない場合には、尖形位置合わせ領域５２は、ランセットを角度的に少しずつ動かして、かかる位置合わせを達成する。ランセットがランセット・ホルダー中の固定位置（home）へ押されるにつれて、（図４に見られるような）上歯上のピップ５６は、リブ３６の内の１つに乗って、摩擦保持を提供する。
【００１８】
ランセットが完全に上記固定位置にある場合、キャップはねじって外されることができ、また、ホルダーとランセットの相対的な回転は、案内リブ／デフレクター５０と放射状のフランジ３６との相互の係合によって、及び、ランシング装置の筐体の内部の対応する面と係合するランセット・ホルダーの平面部４２によって、阻止される。
【図１】
2010530774.tif 000003
【図２】
2010530774.tif 000004
【図３】
2010530774.tif 000005
【図４】
2010530774.tif 000006
【図５】
2010530774.tif 000007
【図６】
2010530774.tif 000008
【国際調査報告】
2010530774.tif 000009
2010530774.tif 000010